(57)【要約】【課題】  スプリンクラーヘッドの特定方向への散水を規制する遮水装置において、放水方向規制板部材の微妙な方向調整が可能であり、さらに設置後に取外しが困難である遮水装置の提供【解決手段】  遮水装置２は円筒部分にスプリンクラーヘッド１のフレーム溝５と係合される係止部６を有し、スプリンクラーヘッドの放水方向を規制するプレート４が円筒部分から下方に垂下して設置されており、前記遮水装置２の外側に、スプリンクラーヘッド１の本体側面に係止されるシーリングプレートまたはガード３が設けられている。またプレート４の下端位置は、作動時のスプリンクラーヘッド１のデフレクターの水流衝突面を基準として所定範囲内に設けられている。【選択図】    図２
2005058588.tif 000002
【特許請求の範囲】
【請求項１】
円筒部分にはスプリンクラーヘッドと係合される係止部を有しており、スプリンクラーヘッドの放水方向を規制するプレートが円筒部分から下方に垂下して設置され、プレートの下端位置が作動時のスプリンクラーヘッドのデフレクターの水流衝突面を基準として所定範囲内に設けられていることを特徴とするスプリンクラーヘッドの遮水装置。
【請求項２】
前記遮水装置の外側に、スプリンクラーヘッドの本体側面に係止されるシーリングプレートまたはガードが設けられていることを特徴とする請求項１記載のスプリンクラーヘッドの遮水装置。
【請求項３】
前記遮水装置はスプリンクラーヘッドのフレームに水平に設けられた段部に係止されることを特徴とする請求項１または２記載のスプリンクラーヘッドの遮水装置。
【発明の詳細な説明】
【技術分野】
【０００１】
本発明は、消火用スプリンクラーヘッドにおいて、特定方向への消火水の散布を規制する遮水装置に関するものである。
【背景技術】
【０００２】
スプリンクラーヘッドはビルやデパートの建物内に設置され、水源に続く給水配管と接続されている。スプリンクラーヘッドは感熱部を有しており、火災時には火災の熱によって感熱部が作動してスプリンクラーヘッド内部の弁体が開放する。弁体が開放されると給水配管内の水が室内に散布されて火災を鎮圧・抑制するものである。
【０００３】
近年において、散水範囲の広いスプリンクラーヘッドが主流となっており、特に住宅用のスプリンクラーヘッドは床面への散水だけでなく、室内の家具やカーテン等にもスプリンクラーヘッドから散布した水がかかるように、壁面側の水平方向にも水を飛散させるタイプのものがある。
【０００４】
水平方向にも水を飛散させたことによって、スプリンクラーヘッドから散布された水が、近隣に設置されたスプリンクラーヘッドの感熱部を被水させてしまう可能性がある。作動していないスプリンクラーヘッドの感熱部が被水してしまうと、被水していないスプリンクラーヘッドと比較して、感熱部が作動するまでの時間が増加し、火災を拡大させてしまうおそれがある。
【０００５】
近隣のスプリンクラーヘッドを被水させないために、スプリンクラーヘッドからの特定方向への散水距離を規制する遮水装置がある（例えば、特許文献１参照）。
【０００６】
上記の遮水装置を図６に示す。図６の遮水装置はスプリンクラーヘッドを外力から保護するヘッドプロテクタ３０に、スプリンクラーヘッドから特定方向に放水される水の放水距離を規制する規制体１４を設けたものである。該規制体１４は、６０度間隔で設けられたヘッドプロテクタの枠３１の間に着脱可能に設けられている。
【０００７】
規制体１４はスプリンクラーヘッド１より放水される水を斜め下方に規制する複数の放水方向規制板１７ａ、１７ｂ、１７ｃを具備して構成されている。スプリンクラーヘッドより放水された水は該放水方向規制板１７ａ等によって斜め下方に軌道を変更されて室内に散布される。
【０００８】
これにより、近隣のスプリンクラーヘッドが設けられた方向に規制体１４を設置することで、近隣のスプリンクラーヘッドの方向へ放出された水は放水方向規制板１７ａ等によって斜め下方に散布され、近隣に設置されたスプリンクラーヘッド表面を濡らすことを予防できる。
【特許文献１】特開平１０−２７２２０１号公報（第２−４頁、第２図）
【発明の開示】
【発明が解決しようとする課題】
【０００９】
しかしながら上記の遮水装置は、規制体１４をヘッドプロテクタ３０の枠３１の間に設置する構成となっていることから、規制体１４を複数設置する場合は微妙な方向調整が行い難いという問題がある。
【００１０】
また、ヘッドプロテクタ３０外面から規制体１４を着脱することができるので、施工後にイタズラによって簡単に規制体１４を取外されたり、地震等の衝撃によって規制体１４が外れてしまう可能性がある。
【００１１】
そこで本発明では、スプリンクラーヘッドの特定方向への散水を規制する遮水装置において、放水方向規制板部材の微妙な方向調整が可能であり、さらに設置後に取外しが困難である遮水装置の提供を目的としている。
【課題を解決するための手段】
【００１２】
上記の目的を達成するために、請求項１記載の発明は、円筒部分にスプリンクラーヘッドと係合される係止部を有しており、スプリンクラーヘッドの放水方向を規制するプレートが円筒部分から下方に垂下して設置され、プレートの下端位置が作動時のスプリンクラーヘッドのデフレクターの水流衝突面を基準として所定範囲内に設けられているスプリンクラーヘッドの遮水装置である。
【００１３】
請求項２記載の発明は、前記遮水装置の外側に、スプリンクラーヘッドの本体側面に係止されるシーリングプレートまたはガードが設けられている請求項１記載のスプリンクラーヘッドの遮水装置である。
【００１４】
請求項３記載の発明は、前記遮水装置がスプリンクラーヘッドのフレームに水平に設けられた段部に係止される請求項１または２記載のスプリンクラーヘッドの遮水装置である。
【発明の効果】
【００１５】
本発明では、遮水装置がスプリンクラーヘッドと係合しており、放水方向規制部材であるプレートを一枚の板とし、スプリンクラーヘッドに可能な限り接近させて設置したことにより、プレートの幅を必要最小限の大きさとすることができる。
【００１６】
プレートの長さについて、プレートの長さが短すぎると、遮水装置が設置されたスプリンクラーヘッドが作動した際に、近隣に設置されたスプリンクラーヘッド位置への散水を規制する効果が十分得られずに近隣に設置されたスプリンクラーヘッドの感熱部を濡らしてしまう可能性がある。
【００１７】
プレートの長さが長すぎると、遮水装置が設置されたスプリンクラーヘッドが作動した際に、プレートが設置された方向へは下方にしか水が飛散されず、この方向で火災が発生した場合に十分な火災抑制・消火効果が得られない可能性がある。
【００１８】
そこで、プレート方向の斜め下方にも水が散布可能であるように、プレートの長さを下端位置がデフレクターの水流衝突面を基準とした所定範囲内に設けられるよう構成したものである。
【００１９】
さらに、遮水装置が設置されたスプリンクラーヘッドにシーリングプレートやガードを設置することでスプリンクラーヘッドとシーリングプレート等との僅かな隙間に遮水装置が設置されることになり、遮水装置の係止部を隠すとともに、遮水装置を取外し難い構成にしている。
【実施例】
【００２０】
以下、この発明の第１実施形態を図１から図５を参照して説明する。図１は本発明の遮水装置と天井に設置されたスプリンクラーヘッド、カードである。図２は図１の遮水装置、ガードをスプリンクラーヘッドに設置した状態である。図３は図２のスプリンクラーヘッドの作動後の状態である。図４は図２のＸ−Ｘ断面図。図５は図２のＰ部拡大図である。
【００２１】
図１に、天井に設置されたスプリンクラーヘッド１、遮水装置２、ガード３を示す。
【００２２】
スプリンクラーヘッド１は、前述のように火災の熱を感知して作動し、火災を抑制・消火するものである。スプリンクラーヘッドの内部構成については、一例として特開平７−２８４５４５号公報に記載されており、本発明の趣旨とはあまり関連性がないので説明は省略する。
【００２３】
遮水装置２は、合成樹脂のような弾性を有する材料より形成されて円筒形状をしており、円筒部下端から垂下してプレート４が設けられている。本実施例ではプレート４は１枚のみである。他の実施例として図１の遮水装置２に点線で示したように複数枚のプレートが全周に予め設置され、不要なプレートは除去して使用することも可能である。
【００２４】
プレート４の下端は図３に示すように、デフレクターＤの水流衝突面（図３においてデフレクター上面）を基準として設けられている。本実施例では基準から下方に数ｍｍ以内の位置にプレート４の下端が配置されるようプレート４の長さが設定されている。
【００２５】
円筒部の内周径はスプリンクラーヘッド１のフレームＦの外径より僅かに大きく、フレームＦが円筒内部に嵌入可能である。
【００２６】
円筒壁面には、スプリンクラーヘッド１のフレーム溝５と係合する爪６が１対ずつ９０度間隔に４箇所設置されている。
【００２７】
爪６は先端の突起部７が円筒内部側に突出しており、該突出部７がフレーム溝５と係合される。突出部７より下部は弾性を有しており、円筒内側から外側に向かって突出部７へ力を加えると円筒外周側へ屈曲することが可能である。
【００２８】
爪６が一対ずつ設けられているのは、フレーム溝５の位置がフレームＦの円周上において、約９０度の間隔で設置されており、図４（ａ）、（ｂ）に示すようにフレーム溝５と爪６の位置がどのような状態になっても各フレーム溝５には必ず爪６が係止されるように構成されている。
【００２９】
図５には、フレーム溝５と爪６の拡大断面図が示されており、（ａ）は爪６がフレーム溝５と係合した状態であり、（ｂ）は爪６がフレーム溝以外の場所に位置している状態を示す。（ｂ）において爪６は弾性によって円周外側に屈曲した状態にある。
【００３０】
円筒部下端には所定間隔で凹部８が設けられている。該凹部８によって遮水装置２をスプリンクラーヘッド１に設置した後にプレート４の方向調整を行うことができる。具体的には、末端に複数の凹部８と嵌合する凸部を有する円筒状の操作具によって凹部８と前記凸部を嵌め合わせ、操作具を回転させることで、遮水装置２がフレームＦの外周面上を移動することが可能となる。
【００３１】
ガード３は、下部に複数本の棒材を組み合わせて枠が形成されており、枠の内部に設置されるスプリンクラーヘッド１を外力から保護している。中間部分には鍔部１１が設けられ、スプリンクラーヘッド１を設置するために穿設されたスプリンクラーヘッド取付け用穴を覆い隠している。
【００３２】
上部は円筒部１０となっており、内周面には複数の水平溝１２が設けられ、該水平溝１２とスプリンクラーヘッド１の本体側面溝１３とが係合して設置固定される。
【００３３】
次に、図１を参照して天井に設置されたスプリンクラーヘッド１に本発明の遮水装置２およびガード３を設置する手順について説明する。
【００３４】
天井に設置されたスプリンクラーヘッド１は、給水配管との接続部が天井内に埋め込まれて設置されており、天井面からスプリンクラーヘッド１の下部が突出した状態にある。
【００３５】
遮水装置２の爪６と係合されるスプリンクラーヘッド１のフレーム溝５は天井裏に位置しており、室内から天井に設置されたスプリンクラーヘッド１を眺めてもフレーム溝５の位置は見えない、あるいは非常に見えにくい状態にある。
【００３６】
上記の状態において、遮水装置２のプレート４の方向を定めてから円筒部をスプリンクラーヘッド１の下端から天井に向かって嵌め込み、遮水装置２の上端がスプリンクラーヘッド１の本体鍔部９に突き当たるまで挿入する。
【００３７】
すると遮水装置２に複数設置された爪６のいずれかが、各々のフレーム溝５と係合してスプリンクラーヘッド１へ設置される。
【００３８】
次にカード３の円筒部１０を同様にスプリンクラーヘッド１の下端から天井に向かって嵌め入れ、ガード３の鍔部１１が天井面に当たるか、または天井直近まで挿入する。ガード３の円筒部１０内側に設けられた複数の水平溝１２は、スプリンクラーヘッド１の本体側面溝１３と係合してスプリンクラーヘッド１に設置されて図２の状態になる。
【００３９】
以上、本発明の遮水装置について説明したが、上記のガード３を設置しないで用いることも可能であるし、ガード３のかわりに、天井面に穿設されたスプリンクラーヘッド取付け用穴とスプリンクラーヘッドとの間の隙間を覆い隠すシーリングプレート（例えば、意匠登録１０６７８４７号のもの）を設置することも可能である。
【図面の簡単な説明】
【００４０】
【図１】本発明の遮水装置と天井に設置されたスプリンクラーヘッド、カード
【図２】図１の遮水装置、ガードをスプリンクラーヘッドに設置した状態
【図３】図２のスプリンクラーヘッドの作動後の状態
【図４】図２のＸ−Ｘ断面図
【図５】図２のＰ部拡大図
【図６】従来の遮水装置
【符号の説明】
【００４１】
１  スプリンクラーヘッド
２  遮水装置
３  ガード
４  プレート
５  フレーム溝
６  爪
７  突出部
８  凹部
【図１】
2005058588.tif 000003
【図２】
2005058588.tif 000004
【図３】
2005058588.tif 000005
【図４】
2005058588.tif 000006
【図５】
2005058588.tif 000007
【図６】
2005058588.tif 000008